(57)【特許請求の範囲】
【請求項１】
横方向、縦方向及びその縦方向に延びる中央軸（ＩＩ）、及び厚さ方向を有する、おむつ、失禁プロテクタ、衛生ナプキン又はそれらの類似物品の如き吸収物品であって、その物品が物品の上部表面上に配置された液体透過性カバーシート（６１１）、物品の下部表面上に配置された下部シート（６１２）、及びこれらのシートの間に封入された吸収構造体（６００）を含み、吸収構造体（６００）が少なくとも一つの吸収層を具備してなり、前記少なくとも一つの吸収層は、縦方向において中央部分（６０１）及び二つの対向する端部分（６０２）と、横方向において中心部分（６０３）及び二つの対向する縁部分（６０４）とを規定するものにおいて、前記少なくとも一つの吸収層の中央部分（６０１）における縁部分（６０４）が第一平均細孔サイズを有すること、及び前記少なくとも一つの吸収層の中央部分（６０１）における中心部分（６０３）が第二平均細孔サイズを有し、第一平均細孔サイズが第二平均細孔サイズより大きいこと、及び縦方向に延びる中央軸（ＩＩ）の一方の側上の物品の部分が物品の上部表面上の縦方向に延びる中央軸（ＩＩ）の他方の側上の物品の対応する部分に対して横たわるようにもたらされるようにかつ中央部分（６０１）における中心部分（６０３）が中央部分（６０１）における縁部分（６０４）より使用者から離れた側に配置されるように吸収物品が縦方向中央軸（ＩＩ）に沿って折りたたまれることができ、より大きい第一平均細孔サイズを有する部分（６０４）が物品使用時に液体受容領域（６１０）を構成することを特徴とする吸収物品。
【請求項２】
縦方向中央軸（ＩＩ）の一方の側上の液体透過性カバーシート（６１１）が縦方向中央軸（ＩＩ）の他方の側上の液体透過性カバーシート（６１１）に接続されていることを特徴とする請求項１に記載の吸収物品。
【請求項３】
吸収構造体（６００）が液体透過性カバーシート（６１１）の方に向けられた上部表面及び下部シート（６１２）の方に向けられた下部表面を有する請求項１に記載の吸収物品において、吸収構造体の中央部分（６０１）における縦方向中央軸（ＩＩ）の一方の側上の上部表面の少なくとも一部が縦方向中央軸（ＩＩ）の他方の側上の上部表面の一部に対して横たわるように吸収構造体が縦方向中央軸（ＩＩ）に沿って折りたたまれることを特徴とする吸収物品。
【請求項４】
吸収構造体の中央部分（６０１）における縦方向中央軸（ＩＩ）の一方の側上の上部表面が縦方向中央軸（ＩＩ）の他方の側上の上部表面に結合されていることを特徴とする請求項３に記載の吸収物品。
【請求項５】
吸収構造体の中央部分（６０１）における縁部分（６０４）が吸収構造体の全厚さにわたって第一平均細孔サイズを有することを特徴とする請求項１〜４のいずれかに記載の吸収物品。
【請求項６】
吸収構造体（６００）における端部分（６０２）の縁部分（６０４）もまた厚さ方向の少なくとも一部内で第一平均細孔サイズを有することを特徴とする請求項１〜５のいずれかに記載の吸収物品。
【請求項７】
吸収構造体（６００）が厚さ方向において第一シート（６０５）及び第二シート（６０６）を有し、第一シート（６０５）が第二シート（６０６）より縦方向において小さい範囲を有することを特徴とする請求項１〜６のいずれかに記載の吸収物品。
【請求項８】
吸収構造体が第二平均細孔サイズの少なくとも１．１倍の大きさである第一平均細孔サイズを有することを特徴とする請求項１〜７のいずれかに記載の吸収物品。
【請求項９】
液体受容領域（６１０）が０．０２〜０．２ｇ／ｃｍ３、好ましくは０．０６〜０．１５ｇ／ｃｍ３の密度を有すること、及び第二のより小さい平均細孔サイズを有する領域が０．１〜１．０ｇ／ｃｍ３、好ましくは０．１２〜０．６ｇ／ｃｍ３の密度を有することを特徴とする請求項１〜８のいずれかに記載の吸収物品。
【発明の詳細な説明】
【技術分野】
【０００１】
本発明は、横方向、縦方向及びその縦方向に延びる中央軸、及び厚さ方向を有する、おむつ、失禁プロテクタ、衛生ナプキン又はそれらの類似物品の如き吸収物品であって、その物品が物品の上部表面上に配置された液体透過性カバーシート、物品の下部表面上に配置された下部シート、及びこれらのシートの間に封入された吸収構造体を含み、吸収構造体が縦方向において中央部分及び二つの対向する端部分を有し、かつ横方向において中心部分及び二つの対向する縁部分を有するものに関する。
【背景技術】
【０００２】
一度使用されたら廃棄されることを意図される、おむつ、失禁プロテクタ及び衛生ナプキンの如き吸収物品のための吸収構造体は通常、親水性繊維、例えばセルロース毛羽パルプの一以上のシートから作られる。自重の多数倍の水又は体液を吸収する能力を有するポリマーである超吸収材も含まれることが多い。さらに、吸収構造体は例えばその液体分散特性を改良するため又は使用中の変形に耐えるその能力及びその安定性を増大するためにさらなる構成要素を含むこともできる。
【０００３】
主として比較的多量の体液を受容しかつ吸収するために意図された、成人のためのおむつ及び失禁プロテクタの場合に遭遇される重要な問題は、それらの全吸収能力を完全に利用する前にこれらがしばしば漏出することである。排尿時に多量の体液がしばしば二、三秒の間に放出されるので、これは吸収構造体が液体受容領域において液体で局所的に飽和されることに導きうる。即ち、液体は吸収構造体の他の部分に分散する時間を持たない。これは使用者によって放出された追加の液体はおむつから漏出することを意味する。この種の早期の漏出はもちろん使用者及び使用者の看護人の双方に対してかなりいらだたせる原因である。漏出問題は繰り返し湿潤時に強調される。
【０００４】
ＥＰ  ０２５４４７６は実質的に湿潤領域の前の領域において吸収構造体の周囲部分と比較して低い単位面積あたり重量及び低い密度を有する吸収構造体を記載する。この方法では、湿潤領域における高い液体吸収能力が達成され、その後液体は遠くに分散されることができ、吸収構造体の周囲領域において貯蔵される。
【０００５】
ＧＢ  ２０８２６４３は、実質的に均一な単位面積あたり重量を有するが、密度が吸収構造体の端部分に向かって増加するような縦方向の密度勾配を有する吸収構造体をさらに記載する。
【０００６】
ＵＳ  ４４１３９９６は湿潤領域において液体収集凹所又はくぼみを有するおむつのための吸収構造体を記載する。もし適切なら、このくぼみに多孔質詰物を配置することができる。
【０００７】
しかしながら、特に短時間に多量の液体を吸収することを意図される製品の場合において、液体吸収能力及び分散性に関して改良の余地がなお存在する。
【発明の開示】
【０００８】
本発明によれば、この種の従来公知の物品と関連した問題を実質的に除去する、冒頭で述べられたタイプの物品が得られる。
【０００９】
本発明による吸収物品は主として、吸収構造体の中央部分における縁部分が厚さ方向の少なくとも一部内で第一平均細孔サイズを有すること、及び吸収構造体の中央部分における中心部分が厚さ方向の少なくとも一部内で第二平均細孔サイズを有し、第一平均細孔サイズが第二平均細孔サイズより大きいこと、及び縦方向に延びる中央軸（ＩＩ）の一方の側上の物品の部分が物品の上部表面上の縦方向に延びる中央軸（ＩＩ）の他方の側上の物品の対応する部分に対して横たわるようにもたらされるように吸収物品が縦方向中央軸（ＩＩ）に沿って折りたたまれることができ、より大きい第一平均細孔サイズを有する部分が物品使用時に液体受容領域を構成することを特徴とする。第一平均細孔サイズが第二平均細孔サイズより大きいという基準は少なくとも乾燥状態において適用するが、第一平均細孔サイズは乾燥状態及び湿潤状態の両方において第二平均細孔サイズより大きいことが好ましい。平均細孔サイズに差を有することによって、液体受容領域から第二のより小さい平均細孔サイズを有する領域への液体の排出を可能にする。
【００１０】
本発明によれば、折りたたまれた状態で使用されることを意図される吸収物品が得られる。折りたたまれた状態は、物品が物品の少なくとも中央部分において、その縦方向中央軸に沿って折りたたまれ、従って縦方向中央軸の各側上の物品の部分が互いに向かって折りたたまれることを意味する。かかる物品の利点は、折りたたまれた状態において短時間で多量の液体を吸収することができることであり、それは吸収構造体が液体受容領域において液体で局所的に飽和される危険を実質的に減らし、それは次に漏出の危険を減らす。本発明による物品の別の利点は物品が使用時、即ち折りたたまれた状態で狭い股領域を有することである。狭い股領域は良好な適合を作り、それは物品が使用中に使用者の太ももに対して摩擦する危険が低下されることを意味する。物品が使用時に折りたたまれることによって、折りたたみ前に通常のおむつより幅広い物品を設計することもできる。これは物品の股領域における全吸収能力が極めて高くできることを意味する。
【００１１】
一例によれば、縦方向中央軸（ＩＩ）の一方の側上の液体透過性カバーシートは縦方向中央軸（ＩＩ）の他方の側上の液体透過性カバーシートに接続されている。カバーシートは例えば接着剤結合によって又は熱溶接によって接続されることができる。接続は好ましくは例えば二以上の点で間欠的である。このデザインの利点は、物品が永続的に正しく折りたたまれた状態であり、物品が使用時に間違って折りたたまれたり又は広げられたりする危険が除去されることである。
【００１２】
一例によれば、吸収構造体は液体透過性カバーシートの方に向けられた上部表面及び下部シートの方に向けられた下部表面を有し、吸収構造体の中央部分における縦方向中央軸（ＩＩ）の一方の側上の上部表面の少なくとも一部が縦方向中央軸（ＩＩ）の他方の側上の上部表面の一部に対して横たわるように吸収構造体は縦方向中央軸（ＩＩ）に沿って折りたたまれる。
【００１３】
折りたたまれた状態において、吸収構造体の中央部分における縦方向中央軸の各側上の上部表面の担持が永続的であることを確実にするために、一例では吸収構造体の中央部分における縦方向中央軸の一方の側上の上部表面は縦方向中央軸の他方の側上の上部表面に接続される。接続は例えば接着剤結合によって又は熱溶接によって得ることができる。かかる例の利点は、吸収構造体が永続的に折りたたまれた状態であり、吸収構造体が広がる危険が除去されることである。
【００１４】
一例によれば、吸収構造体の中央部分における縁部分は吸収構造体の全厚さにわたって第一平均細孔サイズを有する。これは液体受容領域、即ちより大きい細孔サイズを有する材料の領域が使用者の方に向けられる吸収構造体の部分において股部分全体をカバーすることを意味する。物品が使用時に折りたたまれることによって、吸収構造体は折りたたまれないおむつの吸収構造体より幅広くすることができる。これはこの例による吸収構造体の液体受容能力及び貯蔵能力が極めて高いことを意味する。
【００１５】
別の例によれば、吸収構造体の端部分の縁部分はまた、厚さ方向の少なくとも一部内で第一平均細孔サイズを有する。この例の利点は物品の縦方向における液体受容領域がより長いことである。かかる例のさらなる利点はかかる吸収構造体が容易に製造できることである。
【００１６】
厚さ方向において、吸収構造体は第一シート及び第二シートから作られることができる。第一シートは第二シートより縦方向において小さい範囲を有することができる。
【００１７】
好ましい例によれば、吸収構造体は第二平均細孔サイズの少なくとも１．１倍の大きさの第一平均細孔サイズを有する。
【００１８】
さらに別の例によれば、吸収構造体は第二平均細孔サイズの少なくとも１．３倍の大きさの第一平均細孔サイズを有する。
【００１９】
一例によれば、液体受容領域は第二のより小さい平均細孔サイズからなる領域より低い密度を有する。例えば、液体受容領域は０．０２〜０．２ｇ／ｃｍ３の密度を有し、その密度は好ましくは０．０６〜０．１５ｇ／ｃｍ３である。かかる構造体では、第二のより小さい平均細孔サイズを有する領域は０．１〜１．０ｇ／ｃｍ３、好ましくは０．１２〜０．６ｇ／ｃｍ３の密度を有する。
【００２０】
図面の簡単な記述
図１は本発明による吸収構造体の平面図を示す。
図２ａは図１に示された吸収構造体の横断面を示す。
図２ｂは図１に示された吸収構造体の横断面を示し、そこでは吸収構造体は吸収物品中に使用者によって装着されることを意図される。
図３ａは本発明による吸収構造体の代替例の横断面を示す。
図３ｂは図３ａに示された吸収構造体の横断面を示し、そこではそれは吸収物品中に使用者によって装着されることを意図される。
図４は本発明による吸収構造体の代替例の平面図を示す。
図５は本発明による吸収構造体のさらなる代替例の平面図を示す。
図６は本発明による吸収構造体を含む失禁プロテクタを示す。
【発明を実施するための最良の形態】
【００２１】
図１は本発明による吸収構造体１００の平面図を示す。図１に示された吸収構造体１００はその平面において、図１では横方向中央軸Ｉによって示される横方向、及び図１では縦方向中央軸ＩＩによって示される縦方向を有する。図１はまた、平面に対して直角な厚さ方向を示す。吸収構造体１００の平面において、それは上部面１０８及び反対の下部面１０９を有する。縦方向では、吸収構造体１００は中央部分１０１、及び二つの対向する端部分１０２を有する。横方向では、吸収構造体１００は中心部分１０３、及び中心部分１０３の対向する側上の二つの縁部分１０４を有する。厚さ方向では、吸収構造体は第一シート１０５及び第二シート１０６をさらに含む。第一シート１０５は吸収物品における使用中に使用者の最も近くに位置されることを意図される吸収構造体のシートである。第一シート１０５は異なる平均細孔サイズを有する領域を持つ。吸収構造体１００の中央部分１０１では、吸収構造体の縁部分１０４は第一平均細孔サイズを有し、吸収構造体の中央部分１０１では、中心部分１０３は第二平均細孔サイズを有する。第一シート１０５の二つの端部分１０２もまた、第二平均細孔サイズを有する。第一平均細孔サイズは第二平均細孔サイズより大きい。吸収構造体が吸収物品に使用されるとき、吸収構造体１００は、中央部分１０１における縦方向中央軸ＩＩの一方の側上の少なくとも上部面１０８が吸収構造体の中央部分１０１の縦方向中央軸ＩＩの他方の対向側上の上部面に対して横たわるように、その縦方向中央軸ＩＩに沿って折りたたまれることを意図され、より大きい第一平均細孔サイズを有する部分は液体受容領域１１０を構成する。吸収物品の使用中、中央部分１０１における吸収構造体の縁部分１０４は、最初に湿潤される吸収構造体１００の領域に位置される吸収構造体の部分、即ち液体受容領域１１０を構成する。
【００２２】
液体受容領域１１０における繊維材料は例えば合成繊維、例えばポリエチレン、ポリプロピレン、ポリエステル又はそれらのコポリマーから構成される。また、合成繊維は二成分繊維であることもできる。液体受容領域の繊維材料の別の例はメカニカルパルプ、サーモメカニカルパルプ又はケミサーモメカニカルパルプ（ＣＴＭＰ）のセルロース繊維である。これらのパルプは残留リグニンを有する比較的粗い繊維であり、その結果としてそれらは比較的大きい細孔体積及び高い湿潤レジリエンスを有し、かつ液体の排水を比較的しやすい。高い湿潤レジリエンスは毛羽パルプが湿潤後であってもその構造を実質的に保持することを意味する。同様の特性を有する他の毛羽パルプ、例えば化学的に剛化されたセルロース繊維も使用することができる。好適な材料の別の例はポリアクリレートベースの粒子を含む繊維層、又は繊維層に結合されたポリアクリレートベース被覆である。好適な材料のさらなる例は超吸収フォーム、例えばポリアクリレートベースのフォームである。ポリアクリレートベースのフォームは、モノマー、架橋剤、開始剤及び界面活性剤から少なくともなり、撹拌下、容器中で二酸化炭素で飽和及び加圧される溶液によって生成される。溶液がノズルを通して容器から除去されるとき、溶液は膨張し、フォーム構造が得られる。次いで、フォーム構造は、重合を開始し、例えばＵＶ線によって架橋することによってロックされる。
【００２３】
液体受容領域１１０における好適な材料のさらなる例は点で又は線に沿って又はある領域で結合パターンで互いに結合されているがそうでなければ互いに本質的に結合されない連続繊維の層である。かかる材料は液体受容領域において一体化されたカバーシート／液体受容シートとして使用されることもできる。
【００２４】
第一のより大きい平均細孔サイズを有する液体受容領域と第二のより小さい平均細孔サイズを有する領域の間の細孔サイズの差は例えば異なる材料間の密度の差によって得られるが、細孔サイズにおける所望の差は同じ密度であるが異なるタイプの材料で得られることもできる。
【００２５】
第二シート１０６は液体貯蔵シートである。液体貯蔵シートは超吸収材、即ち自重の多数倍の水又は体液を吸収する能力を有するポリマーを含む繊維構造体であることが好ましい。超吸収材は粉末、フレーク、繊維、顆粒などの形である。超吸収材は繊維材料と混合されることができるか又は繊維層の間の一以上の層の形で適用されることができる。超吸収材はフォーム構造であることもできる。さらに、第二シート１０６は液体分散層を含むこともできる。
【００２６】
超吸収材は例えば粒子状であり、液体貯蔵シートに均一に分布されるか又は吸収構造体の縦方向及び／又は厚さ方向において変化された濃度で分布される。貯蔵シートとして超吸収材の実質的に純粋な層を持つことも考えられる。液体の分散をブロックしかつ妨げるようにしないために、例えば通常起こる圧力下で膨潤することができる超吸収材を持つこともできる。かかる超吸収材を特徴づける特長は高い架橋度であり、それは低い架橋度を有するゲルと比較して圧縮することをより難しくする。液体貯蔵シートはもちろん、超吸収材を完全に含まないようにすることもできるし、または幾つかの異なるタイプの超吸収材を含むことができる。超吸収材はフォームを与えるように形成されることもできる。
【００２７】
放出された体液、例えば尿は、液体受容領域において素早く吸収され、第二のより小さい細孔サイズを有する領域に、そして第二シート、即ち液体貯蔵シート１０６にさらに分散される。液体受容領域は液体を排水し、次いで次の液体の到来を受け入れる準備をする。液体貯蔵シート１０６は数回の到来分の液体を貯蔵する能力を有する。
【００２８】
図２ａは図１に示された吸収構造体１００の横方向中央軸Ｉの横断面を示す。従って、図２ａは吸収構造体１００の中央部分１０１の横断面を示す。即ち、図２ａは吸収構造体１００の第一シート１０５、及びその第二シート１０６を示す。その平面において、吸収構造体１００はまた、上部面１０８及び反対の下部面１０９を有する。図２ａはさらに、吸収構造体の中心部分１０３及び二つの対向する縁部分１０４を示す。吸収構造体１００の縁部分１０４は吸収構造体１００の中央部分１０１において第一平均細孔サイズを有し、中心部分１０３は吸収構造体の中央部分１０１において第二平均細孔サイズを有する。第一平均細孔サイズは第二平均細孔サイズより大きい。
【００２９】
図２ｂは図１に示された吸収構造体の横断面を示し、吸収構造体はここでは吸収物品中に使用者によって装着されることを意図される。吸収物品中に吸収構造体を使用するとき、吸収構造体は少なくとも中央部分１０１においてその縦方向中央軸ＩＩのまわりに折りたたまれることを意図される。これは中央部分１０１における縦方向中央軸ＩＩの一方の側上の少なくとも上部面１０８が吸収構造体の中央部分１０１における縦方向中央軸ＩＩの他方の反対側上の上部面に対して横たわることを意味する。これはより大きい第一平均細孔サイズを有する部分が液体受容領域１１０を構成することを意味する。吸収物品が使用されるとき、中央部分１０１における吸収構造体の縁部分１０４は最初に湿潤される吸収構造体１００の領域、即ち液体受容領域１１０を構成する領域に位置される吸収構造体１００の部分を構成する。別の代替例によれば、吸収構造体１００を含む吸収物品は物品が使用者上に位置されるときに折りたたまれる。この場合において、物品全体は物品の縦方向中央軸に沿って折りたたまれ、従って縦方向中央軸の各側上の少なくとも液体透過性カバーシートの部分は互いの上に折りたたまれる。
【００３０】
図３ａは本発明による吸収構造体３００の代替例の横方向中央軸Ｉの横断面を示す。従って、図３ａは吸収構造体３００の中央部分３０１の横断面を示す。その平面において、吸収構造体３００は上部面３０８及び反対の下部面３０９を有する。その厚さ方向において、吸収構造体３００は一つだけのシートから作られる。横方向において、吸収構造体３００は中心部分３０３、及び中心部分３０３の各側上の二つの縁部分３０４を有する。吸収構造体３００は異なる平均細孔サイズを有する領域を持つ。吸収構造体の縁部分３０４は第一平均細孔サイズを有し、中心部分３０３は第二平均細孔サイズを有する。第一平均細孔サイズは第二平均細孔サイズより大きい。これは縁部分３０４がまた、中心部分３０３における構造体より開放的で嵩高い構造体からなることを意味する。
【００３１】
図３ｂは図３ａに示された吸収構造体３００の横断面を示し、吸収構造体はここでは吸収物品中に使用者によって装着されることを意図される。吸収物品中に吸収構造体３００を使用するとき、吸収構造体３００は少なくとも中央部分３０１においてその縦方向中央軸ＩＩのまわりに折りたたまれることを意図される。吸収構造体３００は少なくとも中央部分３０１における縦方向中央軸ＩＩの一方の側上の上部面３０８が縦方向中央軸ＩＩの反対側上の上部面に対して横たわるように縦方向中央軸のまわりに折りたたまれることを意図される。これは、縁部分３０４上の上部面３０８が互いに対して横たわり、このようにして二つの縁部分３０４が最初に湿潤される吸収構造体３００の領域、即ち液体受容領域３１０を構成する領域を一緒に構成することを意味する。別の代替例によれば、吸収構造体３００を含む吸収物品は物品が使用者上に位置されるときに折りたたまれる。この場合において、物品全体は物品の縦方向中央軸に沿って折りたたまれ、従って縦方向中央軸の各側上の少なくとも液体透過性カバーシートの部分は互いの上に折りたたまれる。
【００３２】
図４は本発明による吸収構造体の代替例を示す。図４に示された吸収構造体４００はその平面において横方向中央軸Ｉによって示される横方向、及び縦方向中央軸ＩＩによって示される縦方向を有する。縦方向において、吸収構造体４００は中央部分４０１、及び二つの対向する端部分４０２を有する。横方向において、吸収構造体４００は中心部分４０３、及び中心部分４０３の対向する側上の二つの縁部分４０４を有する。厚さ方向において、吸収構造体４００は第一シート４０５及び第二シート４０６をさらに含む。第一シート４０５は吸収物品における使用中、使用者の最も近くにあることを意図される吸収構造体のシートである。第一シート４０５は異なる平均細孔サイズを有する領域を持つ。吸収構造体４００の中央部分４０１において、吸収構造体の縁部分４０４は第一平均細孔サイズを有し、吸収構造体４００の中央部分４０１において、中心部分４０３は第二平均細孔サイズを有する。吸収構造体の縁部分４０４はさらに、内部縁部分４１１と外部縁部分４１２に分割される。内部縁部分４１１は中心部分４０３の最も近くに位置される部分であり、外部縁部分４１２は中心部分４０３から最も遠くに離れて位置される部分である。吸収構造体の中央部分４０１において、内部縁部分４１１及び外部縁部分４１２は異なる平均細孔サイズを有する。吸収構造体４００において、外部縁部分４１２は中心部分４０３と同じ平均細孔サイズを有する。第一平均細孔サイズ、即ち中央部分４０１における縁部分４０４の平均細孔サイズは内部縁部分４１１を構成する部分と吸収構造体４００の中央部分４０１における外部縁部分４１２を構成する部分の両方について計算された平均細孔サイズである。
【００３３】
第一シート４０５の二つの端部分４０２はまた、第二平均細孔サイズを有する。第一平均細孔サイズは第二平均細孔サイズより大きい。吸収構造体が吸収物品中に使用されるとき、吸収構造体４００は、中央部分４０１の内部縁部分４１１における縦方向中央軸ＩＩの一方の側上の上部面４０８が中央部分４０１の内部縁部分４１１における縦方向中央軸ＩＩの他方の反対側上の上部面に対して横たわるように、縦方向中央軸ＩＩ上に折りたたまれることを意図され、より大きい第一平均細孔サイズを有する部分は液体受容領域４１０を構成する。吸収物品の使用中、中央部分４０１における吸収構造体の内部縁部分４１１は最初に湿潤される吸収構造体４００の領域、即ち液体受容領域４１０に位置される吸収構造体の部分を構成する。別の代替例によれば、吸収構造体４００を含む吸収物品は使用者上に置かれるときに折りたたまれる。この場合において、物品全体は物品の縦方向中央軸に沿って折りたたまれ、従って縦方向中央軸の各側上の少なくとも液体透過性カバーシートの部分は互いの上に折りたたまれる。
【００３４】
図５は本発明による吸収構造体の代替例を示す。吸収構造体５００はその平面において横方向中央軸Ｉによって示される横方向、及び縦方向中央軸ＩＩによって示される縦方向を有する。縦方向において、吸収構造体５００は中央部分５０１、及び二つの対向する端部分５０２を有する。横方向において、吸収構造体５００は中心部分５０３、及び中心部分５０３の対向する側上の二つの縁部分５０４を有する。厚さ方向において、吸収構造体５００は第一シート５０５及び第二シート５０６をさらに含む。第一シート５０５は吸収物品における使用中に使用者の最も近くにあることを意図される吸収構造体のシートである。第一シート５０５は異なる平均細孔サイズを有する領域を持つ。吸収構造体５００の中央部分５０１において、吸収構造体の縁部分５０４は第一平均細孔サイズを有し、吸収構造体の中央部分５０１において、中心部分５０３は第二平均細孔サイズを有する。吸収構造体の縁部分５０４は内部縁部分５１１と外部縁部分５１２に分割される。内部縁部分５１１は中心部分５０３の最も近くに位置される部分であり、外部縁部分５１２は中心部分５０３から最も遠くに離れて位置される部分である。吸収構造体の中央部分５０１において、内部縁部分５１１及び外部縁部分５１２は異なる平均細孔サイズを有する。吸収構造体５００において、外部縁部分５１２は中央部分５０１における中心部分５０３と同じ平均細孔サイズを有する。第一平均細孔サイズ、即ち中央部分５０１における縁部分５０４の平均細孔サイズは内部縁部分５１１を構成する部分と吸収構造体の中央部分５０１の外部縁部分５１２を構成する部分の両方について計算された平均細孔サイズである。
【００３５】
図５の第一シート５０５の二つの端部分５０２はまた、内部端部分５１３と外部端部分５１４に分割される。内部端部分５１３は中央部分５０１の最も近くに位置され、外部端部分５１４は中央部分５０１から最も遠くに離れて位置される。内部端部分は異なる平均細孔サイズの二つの異なる部分を有する。内部端部分５１３において、中心部分５０３及び内部縁部分５１１は外部縁部分５１２より大きい平均細孔サイズを有する。
【００３６】
吸収構造体が吸収物品に使用されるとき、吸収構造体は中央部分５０１の内部縁部分５１１における縦方向中央軸ＩＩの一方の側上の上部面５０８が中央部分５０１の内部縁部分５１１における縦方向中央軸ＩＩの他方の反対側上の上部面に対して横たわるようにその縦方向中央軸ＩＩ上で折りたたまれることを意図され、より大きい第一平均細孔サイズは液体受容領域５１０を構成する。吸収物品の使用中、中央部分５０１における吸収構造体の内部縁部分５１１は最初に湿潤される吸収構造体の領域、即ち液体受容領域５１０に位置される吸収構造体の部分を構成する。別の代替例によれば、吸収構造体５００を含む吸収物品は使用者上に置かれるときに折りたたまれる。この場合において、物品全体は物品の縦方向中央軸ＩＩに沿って折りたたまれ、従って縦方向中央軸ＩＩの各側上の少なくとも液体透過性カバーシートの部分は互いの上に折りたたまれる。
【００３７】
図６は使用中使用者の最も近くに横たわることを意図される面の方向から見た、伸張状態の失禁プロテクタ６を示す。失禁プロテクタ６は本発明による吸収構造体６００を含む。縦方向において、吸収構造体６００は中央部分６０１、及び二つの対向する端部分６０２を有する。横方向において、吸収構造体６００は中心部分６０３、及び中心部分６０３の対向する側上の二つの縁部分６０４を有する。その厚さ方向において、吸収構造体６００は第一シート６０５及び第二シート６０６をさらに含む。第一シート６０５は吸収構造体を有する吸収物品の使用中に使用者の最も近くにあることを意図される吸収構造体のシートである。第一シート６０５は異なる平均細孔サイズを有する領域を持つ。中央部分６０１の縁部分６０４では、第一シートは第一平均細孔サイズを有し、中心部分６０３において、それは第二平均細孔サイズを有する。第一シート６０５の二つの端部分６０２はまた、第二平均細孔サイズを有する。第一平均細孔サイズは第二平均細孔サイズより大きい。吸収構造体が吸収物品に使用されるとき、吸収構造体６００は中央部分６０１における縦方向中央軸ＩＩの一方の側上の少なくとも上部面６０８が吸収構造体の中央部分６０１における縦方向中央軸ＩＩの他方の側上の上部面に対して横たわるように縦方向中央軸ＩＩ上で折りたたまれることを意図され、より大きい第一平均細孔サイズを有する部分は液体受容領域６１０を構成する。別の代替例によれば、失禁プロテクタ６は使用者上に置かれるときに折りたたまれる。この場合において、失禁プロテクタ６はその縦方向中央軸ＩＩに沿って折りたたまれ、従って縦方向中央軸ＩＩの各側上の少なくとも液体透過性カバーシート６１１の部分は互いの上に折りたたまれる。吸収物品の使用中、中央部分６０１における吸収構造体の縁部分６０４は最初に湿潤される吸収構造体６００の領域、即ち液体受容領域６１０に位置される吸収構造体の部分を構成する。
【００３８】
図６に示された失禁プロテクタは液体透過性カバーシート６１１及び下部シート６１２をさらに含み、吸収構造体６００は二つのカバーシート６１１，６１２の間に封入される。液体透過性カバーシート６１１は例えば不織材料、有孔プラスチックフィルム又はその積層体からなる。液体透過性カバーシート６１１のための材料の別の例は点で、線に沿って又はある領域において結合パターンで結合されるがそうでなければ互いに結合されない連続繊維のシートである。下部シート６１２はプラスチックシート、不織シート又はそれらの積層体からなることができる。下部シートは例えば呼吸可能なタイプのものである。
【００３９】
失禁プロテクタ６は吸収パンツの態様で使用者の胴の下部を包囲することを意図される。失禁プロテクタ６は失禁プロテクタの使用中に使用者の前方に向けられることを意図される前端部分６１３、及び使用中に使用者の後方に向けられることを意図される後端部分６１４、及び前端部分６１３と後端部分６１４の間に位置されかつ使用者の脚の間に配置されることを意図される狭い股部分６１５を有する。
【００４０】
失禁プロテクタ６は弾性部材をさらに有する。失禁プロテクタ６におけるこれらの弾性部材は隆起した弾性液体バリヤー６１６、腰弾性体６１７及び脚弾性体６１８を構成する。
【００４１】
弾性隆起液体バリヤー６１６は液体透過性カバーシート６１１に固定され、液体の漏出を防止するように設計される。弾性隆起液体バリヤーは液密材料、例えば疎水性不織シートから作られ、一以上の弾性糸を含む。その弾性糸は、液体バリヤーが弾性を有し、使用中液体透過性カバーシート６１１から隆起されることを確実にする。
【００４２】
失禁プロテクタ６における腰弾性体６１７は弾性テープ材料から作られ、物品の前端縁からわずかの距離のところに位置される。
【００４３】
失禁プロテクタ６の脚弾性体６１８は一以上の弾性糸又は弾性テープ要素の如き細長い弾性部材からなる。細長い弾性部材は物品の縦方向縁に沿って、少なくとも物品の股部分に沿って位置され、脚バンドを構成する。弾性糸又は弾性テープは液体透過性カバーシート６１１に固定される前に予め緊張される、即ち弾性糸又はテープは液体透過性カバーシート６１１に固定される前にある程度伸張される。この方法では、弾性糸は一緒に引っ張られ、材料は弾性糸の内側に対してわずかにしわ形成され、失禁プロテクタの使用中に使用者の脚のまわりによりタイトな適合を与える。
【００４４】
失禁プロテクタ６が一緒に固定されて所望のパンツ形状を与えることを可能にするために、失禁プロテクタ６は失禁プロテクタを一緒に接合してパンツ形状を与えるための固定配置を含む。固定配置は第一部材６２０及び第二部材６２１を含む。図６に示された失禁プロテクタ６では、失禁プロテクタの後端縁の近くに配置されたテープフラップは第一部材６２０を構成し、失禁プロテクタの前端部分の外側は固定配置の第二部材６２１を構成する。従って、使用中、テープフラップは失禁プロテクタの前端部分の外側に、物品の横方向前端縁の近くに固定され、失禁プロテクタ６は使用者の腰のまわりに一緒に保持される。ベルクロクロージャ、フックなどの他の固定部材ももちろん考えられる。
【図面の簡単な説明】
【００４５】
【図１】本発明による吸収構造体の平面図を示す。
【図２】図２ａは図１に示された吸収構造体の横断面を示す。図２ｂは図１に示された吸収構造体の横断面を示す。
【図３】図３ａは本発明による吸収構造体の代替例の横断面を示す。図３ｂは図３ａに示された吸収構造体の横断面を示す。
【図４】本発明による吸収構造体の代替例の平面図を示す。
【図５】本発明による吸収構造体のさらなる代替例の平面図を示す。
【図６】本発明による吸収構造体を含む失禁プロテクタを示す。
【図１】
0004712685.tif 000002
【図２】
0004712685.tif 000003
【図３】
0004712685.tif 000004
【図４】
0004712685.tif 000005
【図５】
0004712685.tif 000006
【図６】
0004712685.tif 000007